(57)【特許請求の範囲】
【請求項１】
着用者の皮膚と接触する衣類の面に取り付けられ生体信号を検出する受信電極部と、
前記受信電極部が検出した生体信号を伝送する配線部と、
前記受信電極部と前記配線部とを接続する第１の接続部と、
前記配線部を通して伝送されてくる生体信号を外部のデバイスへ伝えるための第２の接続部とを備え、
前記配線部、前記第１の接続部および前記第２の接続部は、前記受信電極部と共に前記衣類に取り付けられている
ウェアラブル電極と、
前記ウェアラブル電極に外部のデバイスとして接続される生体信号モニタ装置とを備え、
前記生体信号モニタ装置は、
前記ウェアラブル電極の第２の接続部と係合され、前記ウェアラブル電極の受信電極部が検出した生体信号を取り込む第３の接続部を有する
生体信号モニタシステムであって、
前記受信電極部の前記衣類に取り付けられる側の面、前記第１の接続部の前記受信電極部および前記配線部との接合部を除く部分、前記配線部の前記第１の接続部および前記第２の接続部との接合部を除く部分、および前記第２の接続部の前記配線部および前記第３の接続部との接合部を除く部分が、防水性および絶縁性を有する素材で被覆されており、
前記第２の接続部と前記第３の接続部は、一方が突起部を有し、他方が押し付け部を備えた開口部を有し、前記突起部と前記開口部の前記押し付け部が係合され、前記第２の接続部と前記第３の接続部とが、固着して一体化されている
ことを特徴とする生体信号モニタシステム。
【請求項２】
着用者の皮膚と接触する衣類の面に取り付けられ生体信号を検出する受信電極部と、
前記受信電極部が検出した生体信号を伝送する配線部と、
前記受信電極部と前記配線部とを接続する第１の接続部と、
前記配線部を通して伝送されてくる生体信号を外部のデバイスへ伝えるための第２の接続部とを備え、
前記配線部、前記第１の接続部および前記第２の接続部は、前記受信電極部と共に前記衣類に取り付けられている
ウェアラブル電極と、
前記ウェアラブル電極に外部のデバイスとして接続される生体信号モニタ装置とを備え、
前記生体信号モニタ装置は、
前記ウェアラブル電極の第２の接続部と係合され、前記ウェアラブル電極の受信電極部が検出した生体信号を取り込む第３の接続部を有する
生体信号モニタシステムであって、
前記受信電極部の前記衣類に取り付けられる側の面、前記第１の接続部の前記受信電極部および前記配線部との接合部を除く全ての部分、前記配線部の前記第１の接続部および前記第２の接続部との接合部を除く全ての部分、および前記第２の接続部の前記配線部および前記第３の接続部との接合部を除く全ての部分が、防水性および絶縁性を有する素材で被覆されており、
前記第２の接続部と前記第３の接続部は、一方が突起部を有し、他方が押し付け部を備えた開口部を有し、前記突起部と前記開口部の前記押し付け部が係合され、前記第２の接続部と前記第３の接続部とが、固着して一体化されている
ことを特徴とする生体信号モニタシステム。
【請求項３】
着用者の皮膚と接触する衣類の面に取り付けられ生体信号を検出する受信電極部と、
前記受信電極部が検出した生体信号を伝送する配線部と、
前記配線部を通して伝送されてくる生体信号を外部のデバイスへ伝えるための第２の接続部とを備え、
前記配線部、前記第２の接続部は、前記受信電極部と共に前記衣類に取り付けられている
ウェアラブル電極と、
前記ウェアラブル電極に外部のデバイスとして接続される生体信号モニタ装置とを備え、
前記生体信号モニタ装置は、
前記ウェアラブル電極の第２の接続部と係合され、前記ウェアラブル電極の受信電極部が検出した生体信号を取り込む第３の接続部を有する
生体信号モニタシステムであって、
前記受信電極部の前記衣類に取り付けられる側の面、前記配線部の前記受信電極部および前記第２の接続部との接合部を除く部分、および前記第２の接続部の前記配線部および前記第３の接続部との接合部を除く部分が、防水性および絶縁性を有する素材で被覆されており、
前記第２の接続部と前記第３の接続部は、一方が突起部を有し、他方が押し付け部を備えた開口部を有し、前記突起部と前記開口部の前記押し付け部が係合され、前記第２の接続部と前記第３の接続部とが、固着して一体化されている
ことを特徴とする生体信号モニタシステム。
【請求項４】
請求項１または２に記載された生体信号モニタシステムにおいて、
前記第１の接続部は、
導電性糸による縫い込み、普通糸による縫い込み、圧着、カシメ、接着剤、導電性接着剤の何れかで前記受信電極部と前記配線部とを接合する構成とされている
ことを特徴とする生体信号モニタシステム。
【請求項５】
請求項３に記載された生体信号モニタシステムにおいて、
前記配線部の前記受信電極部との接合部は、
導電性糸による縫い込み、普通糸による縫い込み、圧着、カシメ、接着剤、導電性接着剤の何れかで接合する構成とされている
ことを特徴とする生体信号モニタシステム。
【請求項６】
請求項１乃至５のいずれか１項に記載された生体信号モニタシステムにおいて、
着用者の皮膚と接触する前記衣類の面と反対側の面に固定された樹脂製のシートを備え、
前記第２の接続部は、
前記樹脂製のシートを間に挟んで前記衣類に固定されている
ことを特徴とする生体信号モニタシステム。
【請求項７】
請求項１乃至６のいずれか１項に記載された生体信号モニタシステムにおいて、
前記ウェアラブル電極は、
前記第２の接続部として１組目の第２の接続部と２組目の第２の接続部とを有し、
前記生体信号モニタ装置は、
前記第３の接続部として、前記１組目の第２の接続部とペアとして組み合わされる当該１組目の第２の接続部とは構造が異なる１組目の第３の接続部と、前記２組目の第２の接続部とペアとして組み合わされる当該２組目の第２の接続部とは構造が異なる２組目の第３の接続部とを有し、
前記１組目の第２の接続部の構造が前記２組目の第３の接続部の構造と同じとされ、
前記２組目の第２の接続部の構造が前記１組目の第３の接続部の構造と同じとされている
ことを特徴とする生体信号モニタシステム。
【発明の詳細な説明】
【技術分野】
【０００１】
この発明は、生体信号（生体からの電気信号）を取得するために用いられるウェアラブル電極および生体信号モニタシステムに関するものである。
【背景技術】
【０００２】
近年、電子部品の集積化により、コンピュータ、各種センサ、通信装置、アンテナなどのデバイスを身に着けた状態で動作させる「ウェアラブルデバイス」が注目を浴びている。このウェアラブルデバイスでは、検出した情報を送出したり、駆動信号を受信したり、電力の供給を受けたりするために、各デバイス間を電気的に接続する必要がある。
【０００３】
このウェアラブルデバイスにおいて、各デバイス間の接続は、一般的に、ＰＣＢ（Poly Chlorinated Biphenyl）コネクタなどのコネクタを介して行われている（例えば、非特許文献１参照。）。
【０００４】
図１２に従来のウェアラブルデバイスの一例を示す。同図において、４００は衣類であり、着用者Ｍの皮膚と接触する面には生体信号を検出するセンサ４０１が取り付けられている。また、着用者Ｍの皮膚と接触する衣類４００の面と反対側の面には、センサ４０１が検出した生体信号を取り込む測定器４０２が取り付けられている。
【０００５】
このウェアラブルデバイスでは、センサ４０１からケーブル４０１ａが導出され、測定器４０２からケーブル４０２ａが導出され、両者がコネクタ４０３によって接続されている。コネクタ４０３は、絶縁性の材料からなる円柱状の、センサ側ハウジング４０４と測定器側ハウジング４０５とから構成されている。
【０００６】
センサ側ハウジング４０４の一方の底面には、センサ４０１からのケーブル４０１ａの一端が、はんだ４０４ａにより接続されている。センサ側ハウジング４０４の他方の底面からは、棒状の凸型端子４０４ｂが軸線方向に突出している。凸型端子４０４ｂはセンサ側ハウジング４０４の内部でケーブル４０１ａと電気的に接続されている。
【０００７】
測定器側ハウジング４０５の一方の底面には、測定器４０２からのケーブル４０２ａの一端が、はんだ４０５ａにより接続されている。測定器側ハウジング４０５の他方の底面には、軸線方向に沿って柱状に穿設された凹型電極４０５ｂが設けられている。凹型電極４０５ｂは測定器側ハウジング４０５の内部でケーブル４０２ａと電気的に接続されている。
【０００８】
このウェアラブルデバイスでは、センサ側ハウジング４０４の凸型端子４０４ｂを測定器側ハウジング４０５の凹型電極４０５ｂに挿入することにより、センサ側ハウジング４０４と測定器側ハウジング４０５とを機械的に接続すると共に、センサ４０１と測定器４０２とを電気的に接続する。
【０００９】
なお、このウェアラブルデバイスにおいて、センサ４０１が本発明でいう受信電極部に対応し、測定器４０２が生体信号モニタ装置に対応し、衣類４００を含むセンサ４０１と測定器４０２とコネクタ４０３とケーブル４０１ａ，４０２ａとからなる構成が生体信号モニタシステムに対応し、センサ４０１とケーブル４０１ａとセンサ側ハウジング４０４とからなる構成がウェアラブル電極に対応する。
【先行技術文献】
【非特許文献】
【００１０】
【非特許文献１】C. Park, P. H. Chou, Y. Bai, R. Matthews, and A. Hibbs, “Anultra-wearable, wireless, low power ECG monitoring system,” in Proc.IEEE Biomedical Circuit System Conf., London, U.K., Nov. 2006, pp.241-244
【発明の概要】
【発明が解決しようとする課題】
【００１１】
しかしながら、従来の生体信号モニタシステムでは、雌雄のハウジングからなるコネクタの存在により、衣類としての装着感が悪いものとなっていた。
【００１２】
例えば、図１２に示した構成では、ケーブル４０１ａや４０２ｂが衣類４００から離れており、センサ側ハウジング４０４と測定器側ハウジング４０５とからなるコネクタ４０３がケーブル４０１ａや４０２ｂと共に動くので、装着感が悪いものとなる。
【００１３】
また、従来の生体信号モニタシステムでは、洗濯時に、ハウジングと衣類とが接触して擦れ、衣類の耐久性が低下してしまったり、ウェアラブル電極が劣化してしまうなどの問題もあった。
【００１４】
例えば、図１２に示した構成において、衣類４００を洗濯する場合、センサ側ハウジング４０４と測定器側ハウジング４０５とを分離し、測定器４０２を衣類４００から取り外す。そして、センサ４０１が取り付けられたままの状態で、すなわちウェアラブル電極（センサ４０１＋ケーブル４０１ａ＋センサ側ハウジング４０４）が取り付けられたままで、衣類４００の洗濯を行う。
【００１５】
この場合、センサ側ハウジング４０４がケーブル４０１ａと共に動き、衣類４００と接触して擦れ、衣類４００の耐久性を低下させてしまう。また、センサ４０１とケーブル４０１ａとの接続部に力が加わり、ウェアラブル電極の劣化を招く。
【００１６】
本発明は、このような課題を解決するためになされたもので、その目的とするところは、装着感の悪化や衣類の耐久性の低下、洗濯によるウェアラブル電極の劣化などを抑えることが可能なウェアラブル電極および生体信号モニタシステムを提供することにある。
【課題を解決するための手段】
【００１７】
このような目的を達成するために本発明のウェアラブル電極は、着用者の皮膚と接触する衣類の面に取り付けられ生体信号を検出する受信電極部と、受信電極部が検出した生体信号を伝送する配線部と、受信電極部と配線部とを接続する第１の接続部と、配線部を通して伝送されてくる生体信号を外部のデバイスへ伝えるための第２の接続部とを備え、配線部、第１の接続部および第２の接続部は、受信電極部と共に衣類に取り付けられており、受信電極部の一部、第１の接続部の全て、配線部の全て、および第２の接続部の一部が、防水性および絶縁性を有する素材で被覆されていることを特徴とする。
【００１８】
本発明のウェアラブル電極において、生体信号を検出する受信電極部と、受信電極部が検出した生体信号を伝送する配線部と、受信電極部と配線部とを接続する第１の接続部と、配線部を通して伝送されてくる生体信号を外部のデバイス（例えば、生体信号モニタ装置）へ伝えるための第２の接続部とは、その全てが衣類に取り付けられている。そして、受信電極部の一部、第１の接続部の全て、配線部の全て、および第２の接続部の一部が、防水性および絶縁性を有する素材で被覆されている。
【００１９】
これにより、本発明のウェアラブル電極では、配線部や第２の接続部が動くことがなく、装着感の悪化が避けられる。また、衣類の洗濯時に、第２の接続部が動くことがないので、衣類の耐久性を低下させることもない。また、第１の接続部や配線部が防水性および絶縁性を有する素材で被覆されているので、ウェアラブル電極の洗濯時の耐久性も確保される。また、衣類の洗濯時に、配線部が動くことがないので、第１の接続部に力が加わらず、ウェアラブル電極の劣化を招くこともない。
【００２０】
本発明のウェアラブル電極において、第２の接続部は、導電性部材で構成されたマグネットホック、導電性面ファスナー、導電性クリップ、導電性ファスナー、導電性金属のスナップボタンなどで構成するようにするとよい。
【００２１】
また、本発明のウェアラブル電極において、第１の接続部は、導電性糸による縫い込み、普通糸による縫い込み、圧着、カシメ、接着剤、導電性接着剤などで受信電極部と配線部とを接合する構成とするとよい。
【００２２】
また、本発明のウェアラブル電極において、着用者の皮膚と接触する衣類の面と反対側の面に樹脂製のシートを固定し、この樹脂製のシートを間に挟んで第２の接続部を接着、縫い、カシメ、圧着などの方法で衣類に固定するようにしてもよい。
【００２３】
また、本発明の生体信号モニタシステムは、上述したウェアラブル電極と、このウェアラブル電極に外部のデバイスとして接続される生体信号モニタ装置とを備え、生体信号モニタ装置は、ウェアラブル電極の第２の接続部と係合され、ウェアラブル電極の受信電極部が検出した生体信号を取り込む第３の接続部を有することを特徴とする。
【００２４】
本発明の生体信号モニタシステムにおいて、ウェアラブル電極は、第２の接続部として１組目の第２の接続部と２組目の第２の接続部とを有するものとし、生体信号モニタ装置は、第３の接続部として、１組目の第２の接続部とペアとして組み合わされる当該１組目の第２の接続部とは構造が異なる１組目の第３の接続部と、２組目の第２の接続部とペアとして組み合わされる当該２組目の第２の接続部とは構造が異なる２組目の第３の接続部とを有するものとしてもよい。この場合、１組目の第２の接続部の構造を２組目の第３の接続部の構造と同じとし、２組目の第２の接続部の構造を１組目の第３の接続部の構造と同じとすると、生体信号モニタ装置をウェアラブル電極に接続する際の誤接続（誤装着）を防止することが可能となる。
【００２５】
また、本発明の生体信号モニタシステムにおいて、ウェアラブル電極の第２の接続部と生体信号モニタ装置の第３の接続部とを、第２の接続部と第３の接続部との係合後、分離できないように、固着して一体化させるようにしてもよい。
【発明の効果】
【００２６】
本発明によれば、生体信号を検出する受信電極部と、受信電極部が検出した生体信号を伝送する配線部と、受信電極部と配線部とを接続する第１の接続部と、配線部を通して伝送されてくる生体信号を外部のデバイスへ伝えるための第２の接続部とを衣類に取り付けるようにし、受信電極部の一部、第１の接続部の全て、配線部の全て、および第２の接続部の一部を、防水性および絶縁性を有する素材で被覆するようにしたので、配線部や第２の接続部が動くことがなく、装着感の悪化や衣類の耐久性の低下、洗濯によるウェアラブル電極の劣化などを抑えることが可能となる。
【図面の簡単な説明】
【００２７】
【図１】実施の形態１の生体信号モニタシステムに用いられるウェアラブル電極の要部を示す図である。
【図２】このウェアラブル電極に外部デバイスとして接続される生体信号モニタ装置の要部を示す図である。
【図３】この生体信号モニタ装置のウェアラブル電極への接続を説明する図である。
【図４】この生体信号モニタ装置のウェアラブル電極への接続を説明する全体図である。
【図５】実施の形態２の生体信号モニタシステムに用いられるウェアラブル電極の要部を示す図である。
【図６】この生体信号モニタ装置とウェアラブル電極との間で挿抜が繰り返される様子を示す図である。
【図７】実施の形態３の生体信号モニタシステムの要部を示す図である。
【図８】実施の形態３の生体信号モニタシステムにおいて生体信号モニタ装置のウェアラブル電極への誤接続（誤装着）が防止される様子を示す図である。
【図９】実施の形態４の生体信号モニタシステムの要部を示す図である。
【図１０】実施の形態４の生体信号モニタシステムにおける第２の接続部および第３の接続部の構造を例示する断面図である。
【図１１】実施の形態４の生体信号モニタシステムにおける第２の接続部および第３の接続部の構造を例示する斜視図である。
【図１２】従来のウェアラブルデバイス（生体信号モニタシステム）の一例を示す図である。
【発明を実施するための形態】
【００２８】
以下、本発明の実施の形態を図面に基づいて詳細に説明する。以下では、本発明に係るウェアラブル電極を用いたシステムとして、生体信号モニタシステムを例に取って説明するが、本発明はかかる実施の形態に限定されるものではない。
【００２９】
〔実施の形態１〕
図１は実施の形態１の生体信号モニタシステムに用いられるウェアラブル電極の要部を示す図である。図１（ａ）は平面図（生体と接する側から見た図）、図１（ｂ）は図１（ａ）におけるＩ−Ｉ線断面図である。
【００３０】
図１において、１は衣類（衣服の生地）であり、生体と接する側の面（着用者の皮膚と接触する面）１ａには生体信号を検出する受信電極部２が取り付けられている。
【００３１】
また、衣類１の生体と接する側の面１ａには、受信電極部２が検出した生体信号を伝送する配線部３が取り付けられており、受信電極部２と配線部３とは導電性糸による縫い込みにより接合されている。本実施の形態では、この受信電極部２と配線部３との導電性糸を縫い込んでの接合部を第１の接続部と呼び、符号４で示す。
【００３２】
一方、衣類１の生体と接する側の面１ａと反対側の面１ｂには、配線部３を通して伝送されてくる生体信号を外部のデバイス（後述する生体信号モニタ装置２００（図２））へ伝えるための第２の接続部５が取り付けられている。第２の接続部５は、図には明示されていないが、衣類１を抜けて、配線部３と接触している。
【００３３】
本実施の形態において、第２の接続部５は、導電性部材で構成されたマグネットホック（マグネットホックの雌側）とされ、衣類１にカシメ金具６で固定されている。カシメ金具６は配線部３の上面に位置している。
【００３４】
また、第１の接続部４および配線部３の上面は、エラストマーやシリコンゴムなどの低アレルゲン性の樹脂（防水性および絶縁性を有する素材）によって覆われている。本実施の形態では、この第１の接続部４および配線部３の上面を覆う樹脂を第１の配線被覆部と呼び、符号７で示す。なお、配線部３の上面にはカシメ金具６が位置しているが、このカシメ金具６の上面も第１の配線被覆部７で覆われている。
【００３５】
また、受信電極部２および配線部３の下面も、第１の配線被覆部７と同じエラストマーやシリコンゴムなどの低アレルゲン性の樹脂（防水性および絶縁性を有する素材）によって覆われている。本実施の形態では、受信電極部２および配線部３の下面を覆う樹脂を第２の配線被覆部と呼び、符号８で示す。
【００３６】
すなわち、このウェアラブル電極１００（１００Ａ）では、第１の配線被覆部７と第２の配線被覆部８とで挟まれることによって、受信電極部２の一部、第１の接続部４の全て、配線部３の全て、および第２の接続部５の一部が、防水性および絶縁性を有する素材で被覆されている。
【００３７】
図２に、このウェアラブル電極１００Ａに外部デバイスとして接続される生体信号モニタ装置２００（２００Ａ）の要部を示す。図２（ａ）は平面図であり、図２（ｂ）は側面図である。生体信号モニタ装置２００Ａは、ウェアラブル電極１００Ａの第２の接続部５と係合され、ウェアラブル電極１００Ａの受信電極部２が検出した生体信号を取り込む第３の接続部９を有している。
【００３８】
この生体信号モニタ装置２００Ａにおいて、第３の接続部９は、導電性部材で構成されたマグネットホック（マグネットホックの雄側）とされ、生体信号モニタ装置２００Ａの本体１０の外側に露出するようにして設けられている。
【００３９】
この生体信号モニタ装置２００Ａの第３の接続部９をウェアラブル電極１００Ａの第２の接続部５に係合させることにより（図３、図４参照）、すなわちマグネットホックの雄側と雌側とを合体させることにより、ウェアラブル電極１００Ａと生体信号モニタ装置２００Ａとが機械的および電気的に接続され、受信電極部２が検出する生体信号をモニタする生体信号モニタシステム３００（３００Ａ）が構成される。
【００４０】
この生体信号モニタシステム３００Ａでは、配線部３や第２の接続部５が衣類１に取り付けられており、動くことがないので、装着感の悪化が避けられる。
【００４１】
また、この生体信号モニタシステム３００Ａでは、衣類１を洗濯する場合、第２の接続部５と第３の接続部９とを分離し、生体信号モニタ装置２００Ａを衣類１から外す。そして、ウェアラブル電極１００Ａが取り付けられたままの状態で、衣類１の洗濯を行う。
【００４２】
この衣類１の洗濯に際して、第２の接続部５は動くことがないので、衣類１の耐久性を低下させてしまうことはない。また、第１の接続部４や配線部３が第１の配線被覆部７と第２の配線被覆部８とで覆われているので、ウェアラブル電極１００Ａの洗濯時の耐久性が確保される。また、衣類１の洗濯時に、配線部３も動くことがないので、第１の接続部４に力が加わらず、ウェアラブル電極１００Ａの劣化を招くこともない。
【００４３】
また、この生体信号モニタシステム３００Ａでは、生体信号モニタ装置２００Ａの取り付け、取り外しが簡単であり、衣類１の耐久性を低下させることもない。すなわち、図１２に示した従来の生体信号モニタシステムでは、生体信号モニタ装置（測定器４０２）の衣類への取り付けがし難かったり、取り外しによって、取り付け部の衣類が破れるなど、金属や樹脂で構成される生体信号モニタ装置とは剛性に不均衡がある。このため、衣類の生地の方が劣化し易くなるという問題があった。
【００４４】
これに対して、本実施の形態の生体信号モニタシステム３００Ａでは、第２の接続部５と第３の接続部９とがマグネットホックとされ、生体信号モニタ装置２００Ａのウェアラブル電極１００Ａへの取り付け、取り外しを衣類１に負担を与えることなく、ワンタッチで行うことができる。これにより、生体信号モニタ装置２００Ａの取り付け、取り外しが簡単となる。また、衣類１の耐久性を低下させることもない。
【００４５】
なお、この実施の形態では、第１の接続部４を導電性糸による縫い込みによって受信電極部２と配線部３とを接合する構成としたが、普通糸による縫い込み、圧着、カシメ、接着剤、導電性接着剤などで受信電極部２と配線部３とを接合する構成としてもよい。
【００４６】
また、この実施の形態では、第２の接続部５および第３の接続部９を導電性部材で構成されたマグネットホックとしたが、導電性面ファスナー、導電性クリップ、導電性ファスナー、導電性金属のスナップボタンなどの導電性を有する服飾品部品としてもよい。
【００４７】
また、この実施の形態では、第２の接続部５を衣類１にカシメ金具６で固定するようにしたが、導電性糸による縫い込み、普通糸による縫い込み、圧着、接着剤、導電性接着剤などで衣類１に固定するようにしてもよい。
【００４８】
〔実施の形態２〕
次に、実施の形態２の生体信号モニタシステムに用いられるウェアラブル電極について図５を用いて説明する。同図において、図１と同一符号は図１を参照して説明した構成要素と同一或いは同等の構成要素を示し、その説明は省略する。
【００４９】
このウェアラブル電極１００（１００Ｂ）は、実施の形態１におけるウェアラブル電極１００Ａの構成に加え、樹脂シート（樹脂製のシート）１１を衣類１と第２の接続部５との間に設けている。すなわち、衣類１の生体と接する側の面１ａと反対側の面１ｂに樹脂シート１１を固定し、この樹脂シート１１を間に挟んで第２の接続部５を衣類１に固定している。
【００５０】
このウェアラブル電極１００Ｂでは、第２の接続部５と衣類１との間に樹脂シート１１が設けられているため、このウェアラブル電極１００Ｂを用いた生体信号モニタシステム３００を３００Ｂとした場合（図６参照）、ウェアラブル電極１００Ｂの第２の接続部５と生体信号モニタ装置２００Ａの第３の接続部９との挿抜が繰り返されるような場合などでも、衣類１の破れが生じ難く、衣類１の耐久性を向上させることができる。
【００５１】
〔実施の形態３〕
次に、実施の形態３について図７を用いて説明する。この実施の形態３の生体信号モニタシステムに用いられるウェアラブル電極１００（１００Ｃ）は、生体信号モニタシステムの使い勝手を考慮して、生体信号モニタ装置の誤装着を防止するものである。
【００５２】
実施の形態３におけるウェアラブル電極１００Ｃの構成は、実施の形態２におけるウェアラブル電極１００Ｂの構成と基本的に同じであるが、２組の第２の接続部５を有している点で異なる。すなわち、実施の形態３におけるウェアラブル電極１００Ｃは、１組目の第２の接続部５−１と、２組目の第２の接続部５−２とを有している。
【００５３】
また、このウェアラブル電極１００Ｃに接続する生体信号モニタ装置２００（２００Ｂ）も、ウェアラブル電極１００Ｃの構成と合わせて、２組の第３の接続部９を有している。すなわち、第３の接続部９として、１組目の第２の接続部５−１とペアとして組み合わされる当該１組目の第２の接続部５−１とは構造が異なる１組目の第３の接続部９−１と、２組目の第２の接続部５−２とペアとして組み合わされる当該２組目の第２の接続部５−２とは構造が異なる２組目の第３の接続部９−２とを有している。
【００５４】
この実施の形態では、１組目の第２の接続部５−１がマグネットホックの雄側とされ、２組目の第２の接続部５−２がマグネットホックの雌側とされ、１組目の第３の接続部９−１がマグネットホックの雌側とされ、２組目の第３の接続部９−２がマグネットホックの雄側とされている。すなわち、この実施の形態３では、１組目の第２の接続部５−１の構造が２組目の第３の接続部９−２の構造と同じとされ、２組目の第２の接続部５−２の構造が１組目の第３の接続部９−１の構造と同じとされている。
【００５５】
これにより、図７に示した方向の組み合わせでは、第３の接続部９（９−１，９−２）を第２の接続部５（５−１，５−２）に係合（合体）させることができるが、図８に示した方向の組み合わせでは、第３の接続部９（９−１，９−２）を第２の接続部５（５−１，５−２）に係合（合体）させることができない。
【００５６】
このようにして、実施の形態３の生体信号モニタシステム３００Ｃでは、生体信号モニタ装置２００Ｂをウェアラブル電極１００Ｃに接続する際の誤接続（誤装着）が防止される。
【００５７】
なお、この例では、第２の接続部５（５−１，５−２）および第３の接続部９（９−１，９−２）をマグネットホックとしたが、導電性面ファスナー、導電性クリップ、導電性金属のスナップボタンなどとしてもよい。
【００５８】
このような部品を用いても、マグネットホックの場合と同様、１組目と２組目の雌雄の組み合わせを逆とすることにより、正しい位置関係でないと係合することができないようにして、誤接続（誤装着）を防止することが可能となる。
【００５９】
第２の接続部５（５−１，５−２）および第３の接続部９（９−１，９−２）をマグネットホックとする場合、上述した雄雌の組み合わせに加えて、接合面の磁石の極性を互いに異種とするようにれば、より確実に誤装着を防止することができるようになる。
【００６０】
〔実施の形態４〕
次に、実施の形態４について図９を用いて説明する。上述した実施の形態１〜３では、生体信号モニタ装置２００をウェアラブル電極１００に取り付けたり、取り外したりすることができる構成としているが、生体信号モニタ装置２００自身が洗濯可能な防水性を備えれば、生体信号モニタ装置２００とウェアラブル電極１００とを一体化させた構成としてもよい。
【００６１】
この実施の形態４の生体信号モニタシステム３００（３００Ｄ）では、生体信号モニタ装置２００（２００Ｃ）に防水性を持たせ、第２の接続部５と第３の接続部９との係合後、分離できないように、固着して一体化されるような構成としている。これにより、生体信号モニタ装置２００を取り外すことなく、ウェアラブル電極１００と一体として、洗濯することができるようになる。
【００６２】
例えば、この実施の形態４では、第２の接続部５および第３の接続部５の構造を図１０に示すような構造とする。すなわち、実施の形態１〜３では、第２の接続部５および第３の接続部９としてマグネットホックを用いていたが、実施の形態４では、第２の接続部５として、突起部５ａ，５ｂを有する台座５１，５２を用い、第３の接続部９として、押し付け部９ａ，９ｂおよび開口部９ｃ，９ｄを有する座金９１，９２を用いる。
【００６３】
この手法は、一般的に嵌め殺し(fixed fitting)と呼ばれる手法であり、組み合せる前までは独立の構成物が、一旦組み付けを行うと外れなくなる構造である。図１１（ａ）に座金９１，９２の斜視図を示し、図１１（ｂ）に台座５１，５２の突起部５ａ，５ｂと座金９１，９２の押し付け部９ａ，９ｂとを係合させた状態を示す。
【００６４】
図１０において、台座５１，５２は衣類１に取り付けられており、座金９１，９２は生体信号モニタ装置２００Ｃの本体１０の外側に取り付けられている。台座５１，５２の突起部５ａ，５ｂに座金９１，９２の押し付け部９ａ，９ｂを係合させると、押し付け部９ａ，９ｂが突起部５ａ，５ｂに押されて変形し、この押し付け部９ａ，９ｂの変形に伴うバネ力で突起部５ａ，５ｂと押し付け部９ａ，９ｂとの係合が外れなくなる。
【００６５】
なお、この実施の形態４では、ウェアラブル電極１００Ｄの第２の接続部５と生体信号モニタ装置２００Ｃの第３の接続部９とを、第２の接続部５と第３の接続部９との係合後、分離できないように、第２の接続部５と第３の接続部９の自身の係合によって固着して一体化するようにしたが、周囲の衣類１の生地を介した圧着や押し付けによって固着するなどして一体化するようにしてもよい。
【００６６】
また、上述した実施の形態１〜４では、ウェアラブル電極を用いたシステムとして生体信号モニタシステムを例に取って説明したが、すなわちウェアラブル電極に接続される外部のデバイスを生体信号モニタ装置としたが、ウェアラブル電極に接続される外部のデバイスは生体信号モニタ装置に限られるものではなく、通信装置、アンテナなどのデバイスであってもよい。
【産業上の利用可能性】
【００６７】
本発明は、人体等に身に着けて使用するウェアラブル生体信号モニタシステムに適用することができる。
【符号の説明】
【００６８】
１…衣類、２…受信電極部、３…配線部、４…第１の接続部、５…第２の接続部、７…第１の配線被覆部、８…第２の配線被覆部、９…第３の接続部、１１…樹脂シート、１００（１００Ａ〜１００Ｄ）…ウェアラブル電極、２００（２００Ａ〜２００Ｃ）…生体信号モニタ装置、３００（３００Ａ〜３００Ｃ）…生体信号モニタシステム、Ｍ…着用者。
【図１】
0006457355.tif 000002
【図２】
0006457355.tif 000003
【図３】
0006457355.tif 000004
【図４】
0006457355.tif 000005
【図５】
0006457355.tif 000006
【図６】
0006457355.tif 000007
【図７】
0006457355.tif 000008
【図８】
0006457355.tif 000009
【図９】
0006457355.tif 000010
【図１０】
0006457355.tif 000011
【図１１】
0006457355.tif 000012
【図１２】
0006457355.tif 000013